(57)【特許請求の範囲】
【請求項１】
設置面から略垂直方向に立ち上がる一対の側面板と、
前記側面板同士の間に配置され、背面から正面手前側方向に向かって摺動するスライド棚と、
前記側面板同士の間であって、前記スライド棚の下側に形成された機器の収容スペースの開口と、を有する
ことを特徴とするＡＴＭブース。
【請求項２】
請求項１に記載のＡＴＭブースであって、
前記ＡＴＭブースの背面側から正面側に向かって伸びるガイドレールを有し、
前記スライド棚は、
前記ガイドレール上を摺動する
ことを特徴とするＡＴＭブース。
【請求項３】
請求項１または２に記載のＡＴＭブースであって、
前記スライド棚は、
前記スライド棚の棚板の四辺を囲む所定高さの落下防止壁を有する
ことを特徴とするＡＴＭブース。
【請求項４】
請求項３に記載のＡＴＭブースであって、
前記棚板は、
複数のパンチング穴を有している
ことを特徴とするＡＴＭブース。
【請求項５】
請求項１〜４のいずれか一項に記載のＡＴＭブースであって、
前記スライド棚および前記側面板の間には、
複数の機能部分を設けたサイドパネルが配置される
ことを特徴とするＡＴＭブース。
【請求項６】
請求項５に記載のＡＴＭブースであって、
前記サイドパネルと前記側面板との間であって、前記スライド棚の正面側には、
開閉可能な棚扉が設けられている
ことを特徴とするＡＴＭブース。
【請求項７】
請求項１〜６のいずれか一項に記載のＡＴＭブースであって、
前記スライド棚は、
前記収容スペースの上側に配置されている
ことを特徴とするＡＴＭブース。
【発明の詳細な説明】
【技術分野】
【０００１】
本発明は、ＡＴＭブースに関する。
【背景技術】
【０００２】
特許文献１には、「利用者が操作する操作手段を備えた垂直面と水平面を有するＡＴＭ本体と、前記垂直面と連続する面を備えた上部壁面と、ＡＴＭ本体の正面下部をカバーする下部壁面と、前記ＡＴＭ本体の両側面をカバーするとともに、両側方から前記垂直面と水平面を略隠蔽し、かつ他のブース一体型自動機システムとの接触面を備えた側壁面と、前記水平面に配置されるタッチパネル付表示部を露出する開口部を備えたＡＴＭテーブル面と、前記垂直面と水平面を照明する照明装置を設けるようにする」というブース一体型自動取引装置及びブースが記載されている。
【先行技術文献】
【特許文献】
【０００３】
【特許文献１】特開平７−３２０１１３号公報
【発明の概要】
【発明が解決しようとする課題】
【０００４】
上記特許文献１のブースは、比較的簡単に店舗に設置することができる。一方で、近年、ＡＴＭ（Ａｕｔｏｍａｔｉｃ  Ｔｅｌｌｅｒ  Ｍａｃｈｉｎｅ）ブースの設置スペースの狭小化に伴い、ブース内に収容した機器のメンテナンス作業が難しいという問題が生じている。特許文献１に記載のブースは、この点について考慮されていない。
【０００５】
本発明は、上記問題に鑑みてなされたものであり、機器を効率良く収容し、かつ、よりメンテナンス作業を行い易いＡＴＭブースの提供を目的とする。
【課題を解決するための手段】
【０００６】
例えば、本発明に係るＡＴＭブースは、設置面から略垂直方向に立ち上がる一対の側面板と、前記側面板同士の間に配置され、背面から正面手前側方向に向かって摺動するスライド棚と、前記側面板同士の間であって、前記スライド棚の下側に形成された機器の収容スペースの開口と、を有する。
【０００７】
また、前記ＡＴＭブースの背面側から正面側に向かって伸びるガイドレールを有し、前記スライド棚は、前記ガイドレール上を摺動するようにしても良い。
【０００８】
また、前記スライド棚は、前記スライド棚の棚板の四辺を囲む所定高さの落下防止壁を有するようにしても良い。
【０００９】
また、前記棚板は、複数のパンチング穴を有するようにしても良い。
【００１０】
また、前記スライド棚および前記側面板の間には、複数の機能部分を設けたサイドパネルが配置されるようにしても良い。
【００１１】
また、前記サイドパネルと前記側面板との間であって、前記スライド棚の正面側には、開閉可能な棚扉が設けられているようにしても良い。
【００１２】
また、前記スライド棚は、前記収容スペースの上側に配置されているようにしても良い。
【発明の効果】
【００１３】
本発明に係るＡＴＭブースによれば、機器を効率良く収容し、かつ、よりメンテナンス作業を行い易い。
【図面の簡単な説明】
【００１４】
【図１】本発明の一実施形態に係るＡＴＭブースの全体像を示した斜視図である。
【図２】本発明の一実施形態に係るＡＴＭブースの正面図である。
【図３】本発明の一実施形態に係るＡＴＭブースの背面図である。
【図４】本発明の一実施形態に係るＡＴＭブースの側面図（右側面図）である。
【図５】本発明の一実施形態に係るＡＴＭブースの平面図である。
【図６】本発明の一実施形態に係るスライド棚および引出式袖パネルをＡＴＭブースの正面側手前方向に引き出した状態を示す斜視図である。
【図７】本発明の一実施形態に係る天板を取り除いたＡＴＭブースの平面図である。
【図８】本発明の一実施形態に係る天板を取り除いたＡＴＭブースのスライド棚を正面側手前方向にスライドさせた状態を示す平面図である。
【図９】本発明の一実施形態に係るＡＴＭブースの上部右側面透過図である。
【図１０】本発明の一実施形態に係るスライド棚を引き出した状態を示すＡＴＭブースの上部右側面透過図である。
【発明を実施するための形態】
【００１５】
以下に、本発明の実施形態について図面を用いて説明する。
【００１６】
図１は、本実施形態に係るＡＴＭブース１００の全体像を示した斜視図である。図２は、ＡＴＭブース１００の正面図である。図３は、ＡＴＭブース１００の背面図である。図４は、ＡＴＭブース１００の側面図（右側面図）である。図５は、ＡＴＭブース１００の平面図である。これら各図に示すように、ＡＴＭブース１００は、一対の側面板１０と、背面板２０と、天板３０と、サイドパネル４０と、引出式袖パネル５０と、スライド棚６０とを有している。
【００１７】
なお、これらの各部分は、例えば、スチール（Ｓｔｅａｌ）などの鉄製素材により形成されるが、所望の強度および剛性を確保できれば、素材は限定されない。
【００１８】
一対の側面板１０は、ＡＴＭブース１００の両側面を構成する板材である。具体的には、側面板１０は、図１の破線で示すように、上部１１と、中部１２と、下部１３とを有し、中部１２および下部１３の幅よりも上部１１の幅が狭く形成されている。より具体的には、上部１１は、中部１２および下部１３の幅（例えば、８００ｍｍ〜９００ｍｍ）よりも狭い幅（例えば、４５０ｍｍ〜５５０ｍｍ）に形成され、所定の高さ（例えば、２０００ｍｍ〜２１００ｍｍ）および所定の厚み（例えば、数ｍｍ〜数十ｍｍ）を有している。
【００１９】
側面板の中部１２は、上部１１と下部１３とを繋ぐ斜辺１４を有している。また、下部１３には、熱抜き用の排気穴１５が設けられている。なお、側面板１０の形状および大きさは、上記に限定されるものではなく、ＡＴＭブース１００が設置されるスペースの大きさやＡＴＭブース１００内に収容される収容機器（例えば、現金自動預け払い機など）の大きさに応じて適宜設計されれば良い。
【００２０】
このような一対の側面板１０は、相互に対向し、ＡＴＭブース１００の設置面から略垂直方向に立ち上がる向きで設置される。
【００２１】
また、各側面板１０には、仕切り板１６が取り付けられている。仕切り板１６は、収容機器に入力される暗証番号などの覗き見防止のために取り付けられる板材である。具体的には、仕切り板１６は、所定の大きさ（高さ７００ｍｍ〜８００ｍｍ、奥行き５００ｍｍ〜６００ｍｍ、厚み数ｍｍ〜数十ｍｍ）を有し、ＡＴＭブース１００の正面手前側方向に向かって突出する向きで、側面板１０の上部１１から中部１２の正面側形状に沿った形に形成されている。
【００２２】
背面板２０は、ＡＴＭブース１００の背面を構成する板材である。背面板２０は、所定の大きさ（例えば、高さ２０００ｍｍ〜２１００ｍｍ、幅７００ｍｍ〜８００ｍｍ、厚み数ｍｍ〜数十ｍｍ）を有し、下部の所定位置に熱抜きの排気穴２１が設けられている。
【００２３】
このような背面板２０は、一対の側面板１０同士の間を塞ぐ位置に、ＡＴＭブース１００の設置面から略垂直方向に立ち上がる向きで設置される。
【００２４】
天板３０は、ＡＴＭブース１００の天面を構成する板材である。具体的には、天板３０は、所定の大きさ（例えば、縦５００ｍｍ〜６００ｍｍ、横７００ｍｍ〜８００ｍｍ、数ｍｍ〜数十ｍｍ）を有し、熱抜きのためのパンチング穴が複数形成されている。
【００２５】
このような天板３０は、両側面板１０および背面板２０によって形成されたコの字型の天面を塞ぐ位置に平置きされる。
【００２６】
サイドパネル４０は、複数の機能部分を設けた薄い板状のパネルである。具体的には、サイドパネル４０は、所定の大きさ（例えば、高さ１３００ｍｍ〜１４００ｍｍ、幅１５０ｍｍ〜２００ｍｍ、厚み数ｍｍ〜数十ｍｍ）を有し、側面板１０の上部１１から中部１２の正面側形状に沿った形に形成されている。そのため、サイドパネル４０は、側面板１０の上部１１から中部１２にかけて手前方向にくの字に折れ曲がった形状をしている。
【００２７】
また、サイドパネル４０は、複数の機能部分である防犯カメラ４１、封筒入れ４２、非常用ボタン４３、表示サイン４４、オートフォン４５などを所定位置に有している。
【００２８】
このようなサイドパネル４０は、右側面板１０の正面側端辺に沿って配置される。
【００２９】
引出式袖パネル５０は、ＡＴＭブース１００の正面手前側方向に引き出すことができる袖パネルであって、ＡＴＭブース１００の内部に配置されている。引出式袖パネル５０には、収容機器と通信可能に接続される設置機器（例えば、通信機器）などが設置される。
【００３０】
スライド棚６０は、ＡＴＭブース１００の正面手前側方向に向かってスライドする棚であって、ＡＴＭブースの内部に配置されている。スライド棚６０には、収容機器と通信可能に接続される設置機器（例えば、通信機器）などが設置される。
【００３１】
図６は、スライド棚６０および引出式袖パネルをＡＴＭブース１００の正面手前側方向に引き出した状態を示す斜視図である。図７は、天板３０を取り除いたＡＴＭブース１００の平面図である。図８は、天板３０を取り除いたＡＴＭブース１００のスライド棚６０を正面手前側方向にスライドさせた状態を示す平面図である。図９は、ＡＴＭブース１００の上部右側面透過図である。図１０は、スライド棚６０を引き出した状態を示すＡＴＭブース１００の上部右側面透過図である。
【００３２】
図６に示すように、引出式袖パネル５０は、キャスター（Ｃａｓｔｅｒ）５１と、キャスター上に位置する底面板５２と、底面板５２から略垂直方向に立ち上がる袖パネル５３および正面板５４とを有している。
【００３３】
キャスター５１は、引出式袖パネル５０全体をＡＴＭブース１００の正面手前側方向に引き出す際に可動する車輪である。キャスター５１は、底面板５２の四隅に取り付けられている。また、底面板５２は、所定の大きさ（例えば、奥行き７００ｍｍ〜８００ｍｍ、横１５０ｍｍ〜２００ｍｍ、厚み数ｍｍ〜数十ｍｍ）の大きさを有している。また、側面袖パネル５３は、所定の大きさ（例えば、高さ７００ｍｍ〜８００ｍｍ、奥行き７００ｍｍ〜８００ｍｍ、厚み数ｍｍ〜数十ｍｍ）を有している。また、正面板５４は、所定の大きさ（例えば、高さ７００ｍｍ〜８００ｍｍ、幅１５０ｍｍ〜２００ｍｍ、厚み数ｍｍ〜数十ｍｍ）を有し、鞄掛け５５や把持部５６が設けられている。
【００３４】
また、側面袖パネル５３は、例えば、通信装置など所定の設置機器を固定するため固定治具５７を備えている。固定治具５７は、例えば、側面袖パネル５３の内側面の所定位置に取り付けられている。
【００３５】
図６〜図１０に示すように、スライド棚６０は、背面板２０から正面側に向かって伸びるガイドレール６１上に設置され、ガイドレール６１上を正面手前側方向に摺動する。ガイドレール６１は、背面板２０および棚扉枠６２の一部にねじ止めや溶接などにより固定されている。また、スライド棚６０は、棚上に設置された機器などの熱抜きのためのパンチング穴を複数有している。
【００３６】
このようなスライド棚６０は、所定の大きさ（例えば、奥行き５００ｍｍ〜６００ｍｍ、幅４００ｍｍ〜４５０ｍｍ、厚み数ｍｍ〜数十ｍｍ）に形成されている。
【００３７】
また、スライド棚６０は、棚の四方を取り囲む落下防止壁６３を有している。具体的には、落下防止壁６３は、棚板から所定の高さ（例えば、数ｍｍ〜数十ｍｍ）となるように形成され、スライド棚６０の各辺にネジ止めなどにより固定されている。このような落下防止壁６３は、スライド棚６０の摺動運動により設置機器が棚から落下することを防止する。
【００３８】
また、棚扉枠６２には、棚扉６４が取り付けられている。棚扉６４は、棚扉枠６２の上辺に蝶番などにより固定され、つまみ６５を手前側上方向に向かって引き上げることにより開くことができる。
【００３９】
なお、ＡＴＭブース１００は、スライド棚６０の隣接する位置に、スライドしない棚６６および配線ケーブルが通るケーブル孔６７を有している。
【００４０】
このような一対の側面板１０と、背面板２０と、サイドパネル４０と、引出式袖パネル５０と、スライド棚６０とに囲まれたＡＴＭブース１００の正面側略中央の位置には、収容機器を収容する収容スペースの開口７０が形成される。収容機器は、スライド棚６０や引出式袖パネル５０内に設置された設置機器と通信可能に接続される。
【００４１】
また、スライド棚６０に設置された機器のメンテナンスにあたり、スライド棚６０は、ＡＴＭブース１００の正面手前側方向に引き出される。同様に、引出式袖パネル５０に設置された機器のメンテナンスにあたり、引出式袖パネル５０は、ＡＴＭブース１００の正面手前側方向に引き出される。このようにして、ＡＴＭブース１００内に設置されていた機器は、ＡＴＭブース１００の外側に引き出される。したがって、ＡＴＭブース１００の設置スペースが狭い場所でも、機器を効率良くＡＴＭブース１００内に収容し、かつ、より簡単にメンテナンス作業を行うことができる。
【００４２】
また、本発明は、上記した実施形態に限定されるものではなく、その発明の技術的思想の範囲内で数々の変形が可能である。また、前述の実施形態は、本発明を分かりやすく説明するために詳細に説明したものであり、本発明が必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【００４３】
また、前述の実施形態では、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４４】
１００・・・ＡＴＭブース、１０・・・側面板、２０・・・背面板、
３０・・・天板、４０・・・サイドパネル、５０・・・引出式袖パネル、
６０・・・スライド棚、７０・・・収容スペースの開口
【図１】
0006612595.tif 000002
【図２】
0006612595.tif 000003
【図３】
0006612595.tif 000004
【図４】
0006612595.tif 000005
【図５】
0006612595.tif 000006
【図６】
0006612595.tif 000007
【図７】
0006612595.tif 000008
【図８】
0006612595.tif 000009
【図９】
0006612595.tif 000010
【図１０】
0006612595.tif 000011